(57)【要約】【課題】外形が異なる２種類のカードを共用可能なカード用コネクタを提供する。【解決手段】コネクタ１０は、複数のコンタクト１とハウジング２を備える。コンタクト１は、外形の小さい第１カードＣ１又は外形の大きい第２カードＣ２の接続端子ｃｔと電気接続できる。ハウジング２は、コンタクト１を配列し、第１カードＣ１を一端部側から挿入できる。又、コネクタ１０は、一対の底板３ａ・３ｂ、シェル４、及び可動板５を備える。底板３ａ・３ｂは、ハウジング２の両翼に延びている。シェル４は、一対の底板３ａ・３ｂに係合して、ハウジング２を覆うように外殻を構成している。又、シェル４は、一端側が開口されて第２カードＣ２を挿入できる。可動板５は、第１カードＣ１を挿入できる矩形の切り欠き５１を有する。底板３ａ・３ｂは、可動板５をシェル４の主面部４１に向かって力を付勢する一組の板ばね３１・３１を有する。【選択図】図１
2014029781.tif 000002
【特許請求の範囲】
【請求項１】
一方の面に接続端子を配列し、所定の外形を有する矩形の第１カードと、一方の面に前記接続端子を配列し、前記第１カードと板厚が同じであり、当該第１カードの外形より大きな外形を有する矩形の第２カードとが共用可能なカード用コネクタであって、
前記接続端子と電気接続する複数の片持ち状のコンタクトと、
これらのコンタクトを配列し、前記第１カードが一端部側から挿入されて載置可能な板状のハウジングと、
このハウジングの両側面の底部から当該ハウジングの両翼に延びる一対の底板と、
これらの底板に係合して前記ハウジングを覆うように外殻を構成すると共に、一端側が開口されて前記第２カードを挿入可能なシェルと、
前記ハウジングの両側面及び他端部を囲うと共に、前記第１カードを挿入可能な矩形の切り欠きを有し、前記第２カードを挿入したときは、下降するように昇降自在に内部に保持された可動板と、を備え、
前記底板は、前記可動板を前記シェルの主面部に向かって力を付勢する一つ以上の板ばねを有するカード用コネクタ。
【請求項２】
前記シェルは、
前記主面部の両翼に形成され、略平行に延びる一対の折り曲げ片と、
前記折り曲げ片に開口された一つ以上の係止穴と、を有し、
前記底板は、
前記折り曲げ片に当接可能な屈曲片と、
この屈曲片に形成され、前記係止穴に係合するランスと、を有する請求項１記載のカード用コネクタ。
【請求項３】
前記底板は、前記板ばねを成形している請求項１又は２記載のカード用コネクタ。
【請求項４】
複数の前記コンタクト及び一対の前記底板は、展開板が成形された導電性を有する金属板からなり、この金属板の中央部をモールドして前記ハウジングを成形すると共に、前記金属板の所定箇所を打ち抜き加工して、前記コンタクト及び前記底板を個別に分離している請求項１から３のいずれかに記載のカード用コネクタ。
【請求項５】
前記可動板は、下り傾斜する斜面を先端部に有する請求項１から４のいずれかに記載のカード用コネクタ。
【請求項６】
複数の前記コンタクトは、前記ハウジングの一端部側に延出するリード片を有し、
これらのリード片は、プリント基板にハンダ接合される請求項１から５のいずれかに記載のカード用コネクタ。
【発明の詳細な説明】
【技術分野】
【０００１】
本発明は、カード用コネクタに関する。特に、共通の接続端子を一方の面に配列し、板厚は同じであるが、外形が異なる２種類のカードを共用可能なカード用コネクタの構造に関する。
【背景技術】
【０００２】
近年においては、情報管理用のＩＣカードと記録用のＩＣカードを一つの電子機器（例えば、携帯電話機）に搭載することが提唱され、これらの電子機器は、複数のＩＣカードを同時に、又は個別に接続可能なコネクタを実装している。前者の情報管理用のＩＣカードは例えば、ＳＩＭ（Ｓｕｂｓｃｒｉｂｅｒ  Ｉｄｅｎｔｉｆｙ  Ｍｏｄｕｌｅ：加入者識別モジュール）カードであり、後者の記録用のＩＣカードは例えば、ＳＤ（Ｓｅｃｕｒｅ  Ｄｉｇｉｔａｌ）カードである。
【０００３】
携帯電話機などの小型化に伴って、世代を追って、ＳＩＭカードの外形が小さくなっている。例えば、２ＦＦ（２ｎｄ  Ｆｏｒｍ  Ｆａｃｔｏｒ）と呼ばれるｍｉｎｉＳＩＭカードに対して、３ＦＦ（３ｒｄ  Ｆｏｒｍ  Ｆａｃｔｏｒ）と呼ばれるｍｉｃｒｏＳＩＭカードは、外形が一回り小さくなっている。なお、ｍｉｎｉＳＩＭカードとｍｉｃｒｏＳＩＭカードは、共通の接続端子を一方の面に配列し、板厚は同じである。
【０００４】
ｍｉｎｉＳＩＭカードとｍｉｃｒｏＳＩＭカードが混在している現状では、ｍｉｎｉＳＩＭカード用のコネクタにｍｉｃｒｏＳＩＭカードを接続したいという要請がある。このような要請に対して、通常は、ｍｉｎｉＳＩＭカードを接続できるが、外形がｍｉｎｉＳＩＭカードの外形と略同じな板状のアダプタにｍｉｃｒｏＳＩＭカードを搭載して、ｍｉｃｒｏＳＩＭカードを接続可能なカード用コネクタが開示されている（例えば、特許文献１参照）。
【先行技術文献】
【特許文献】
【０００５】
【特許文献１】特開２０１２−１０９１６５号公報
【発明の概要】
【発明が解決しようとする課題】
【０００６】
特許文献１によるカード用コネクタは、共通の接続端子を一方の面に配列し、板厚は同じであるが、外形が異なる２種類のカードを共用できる。しかし、特許文献１によるカード用コネクタは、ｍｉｎｉＳＩＭカードを接続しているときには、ｍｉｃｒｏＳＩＭカード用のアダプタが不要であり、このアダプタを紛失してしまうという心配がある。
【０００７】
又、特許文献１によるカード用コネクタは、アダプタに設けた開口を介して、ｍｉｃｒｏＳＩＭカードの接続端子に片持ち状のコンタクトの接点が接触するように、構成しているので、アダプタを出し入れ（スライド）すると、アダプタの底面がコンタクトの接点を摺動するという問題がある。更に、アダプタがスライドすることで、コンタクトを不要に変形させる心配がある。
【０００８】
外形の小さいカードを搭載可能なアダプタを用いることなく、共通の接続端子を一方の面に配列し、板厚は同じであるが、外形が異なる２種類のカードを共用可能なカード用コネクタが求められている。そして、以上のことが本発明の課題といってよい。
【０００９】
本発明は、このような課題に鑑みてなされたものであり、外形の小さいカードを搭載可能なアダプタを用いることなく、外形が異なる２種類のカードを共用可能なカード用コネクタを提供することを目的とする。
【課題を解決するための手段】
【００１０】
本発明者は、外形の小さいカードが一端側から挿入されて載置可能な板状のハウジング、このハウジングを覆うと共に、外形の大きいカードを挿入可能なシェル、及び外形の小さいカードを挿入可能な切り欠きを有し、外形の大きいカードを挿入したときは、下降するように昇降自在に内部に保持された可動板でカード用コネクタを構成することにより、この課題が解決可能なことを見出し、これに基づいて、以下のような新たなカード用コネクタを発明するに至った。
【００１１】
（１）  一方の面に接続端子を配列し、所定の外形を有する矩形の第１カードと、一方の面に前記接続端子を配列し、前記第１カードと板厚が同じであり、当該第１カードの外形より大きな外形を有する矩形の第２カードとが共用可能なカード用コネクタであって、前記接続端子と電気接続する複数の片持ち状のコンタクトと、これらのコンタクトを配列し、前記第１カードが一端部側から挿入されて載置可能な板状のハウジングと、このハウジングの両側面の底部から当該ハウジングの両翼に延びる一対の底板と、これらの底板に係合して前記ハウジングを覆うように外殻を構成すると共に、一端側が開口されて前記第２カードを挿入可能なシェルと、前記ハウジングの両側面及び他端部を囲うと共に、前記第１カードを挿入可能な矩形の切り欠きを有し、前記第２カードを挿入したときは、下降するように昇降自在に内部に保持された可動板と、を備え、前記底板は、前記可動板を前記シェルの主面部に向かって力を付勢する一つ以上の板ばねを有するカード用コネクタ。
【００１２】
（１）の発明によるカード用コネクタは、矩形の第１カードと矩形の第２カードを共用できる。第１カードは、一方の面に接続端子を配列し、所定の外形を有している。第２カードは、一方の面に接続端子を配列し、第１カードと板厚が同じであり、第１カードの外形より大きな外形を有している。
【００１３】
（１）の発明によるカード用コネクタは、複数の片持ち状のコンタクトと板状のハウジングを備えている。これらのコンタクトは、接続端子と電気接続できる。ハウジングは、複数のコンタクトを配列している。又、ハウジングには、第１カードが一端部側から挿入されて載置できる。
【００１４】
又、（１）の発明によるカード用コネクタは、一対の底板、シェル、及び可動板を備えている。一対の底板は、ハウジングの両側面の底部からハウジングの両翼に延びている。シェルは、一対の底板に係合して、ハウジングを覆うように外殻を構成している。又、シェルは、一端側が開口されて第２カードを挿入できる。可動板は、ハウジングの両側面及び他端部を囲うと共に、第１カードを挿入可能な矩形の切り欠きを有している。又、可動板は、第２カードを挿入したときは、下降するように昇降自在に内部に保持されている。そして、底板は、可動板をシェルの主面部に向かって力を付勢する一つ以上の板ばねを有している。
【００１５】
（１）の発明によるカード用コネクタは、外形の小さい第１カードを可動板の切り欠きに一致させてハウジングに挿入すると、第１カードの一方の面に設けた接続端子がコンタクトに接触して、第１カードとカード用コネクタを電気接続できる。一方、外形の大きい第２カードをシェルに一致させて、シェルの主面部と可動板の間に挿入すると、可動板が下降して、第２カードの一方の面に設けた接続端子がコンタクトに接触して、第２カードとカード用コネクタを電気接続できる。
【００１６】
（１）の発明によるカード用コネクタは、従来技術に用いたアダプタを使用することがないので、アダプタを紛失する心配が無くなる。又、（１）の発明によるカード用コネクタは、アダプタの底面がコンタクトの接点を摺動することなく、アダプタがスライドすることで、コンタクトを不要に変形させる心配が無くなる。
【００１７】
（２）  前記シェルは、前記主面部の両翼に形成され、略平行に延びる一対の折り曲げ片と、前記折り曲げ片に開口された一つ以上の係止穴と、を有し、前記底板は、前記折り曲げ片に当接可能な屈曲片と、この屈曲片に形成され、前記係止穴に係合するランスと、を有する（１）記載のカード用コネクタ。
【００１８】
（３）  前記底板は、前記板ばねを成形している（１）又は（２）記載のカード用コネクタ。
【００１９】
（４）  複数の前記コンタクト及び一対の前記底板は、展開板が成形された導電性を有する金属板からなり、この金属板の中央部をモールドして前記ハウジングを成形すると共に、前記金属板の所定箇所を打ち抜き加工して、前記コンタクト及び前記底板を個別に分離している（１）から（３）のいずれかに記載のカード用コネクタ。
【００２０】
（５）  前記可動板は、下り傾斜する斜面を先端部に有する（１）から（４）のいずれかに記載のカード用コネクタ。
【００２１】
（６）  複数の前記コンタクトは、前記ハウジングの一端部側に延出するリード片を有し、これらのリード片は、プリント基板にハンダ接合される（１）から（５）のいずれかに記載のカード用コネクタ。
【発明の効果】
【００２２】
本発明によるカード用コネクタは、共通の接続端子を一方の面に配列し、板厚は同じであるが、外形が異なる２種類の第１カードと第２カードを共用できる。又、本発明によるカード用コネクタは、アダプタを使用しないので、アダプタの紛失、又はコンタクトの破損を防止できる。
【図面の簡単な説明】
【００２３】
【図１】本発明の一実施形態によるカード用コネクタの構成を示す斜視図であり、図１（Ａ）は、外形の小さい第１カードをカード用コネクタに挿入する前の状態図、図１（Ｂ）は、外形の大きい第２カードをカード用コネクタに挿入する前の状態図である。
【図２】前記実施形態によるカード用コネクタの構成を示す斜視図であり、図２（Ａ）は、第１カードをカード用コネクタに挿入した状態図、図２（Ｂ）は、第２カードをカード用コネクタに挿入した状態図である。
【図３】第１カードの斜視図であり、図３（Ａ）は、絶縁面を含む他方の面から第１カードを観た状態図、図３（Ｂ）は、端子面を含む一方の面から第１カードを観た状態図である。
【図４】第２カードの斜視図であり、図４（Ａ）は、絶縁面を含む他方の面から第２カードを観た状態図、図４（Ｂ）は、端子面を含む一方の面から第２カードを観た状態図である。
【図５】前記実施形態によるカード用コネクタの構成を示す斜視図であり、第２カードをカード用コネクタに挿入した状態を下面側から観た状態図である。
【図６】前記実施形態によるカード用コネクタの構成を示す斜視分解組立図である。
【図７】前記実施形態によるカード用コネクタに備わるハウジングの斜視図であり、ハウジングを一方の側面の下面側から観た状態図である。
【図８】前記実施形態によるカード用コネクタに備わるハウジングの斜視図であり、ハウジングを他方の側面の下面側から観た状態図である。
【図９】前記実施形態によるカード用コネクタに備わる複数のコンタクト及び一対の底板が成形された導電板の斜視図である。
【図１０】前記実施形態によるカード用コネクタに備わる可動板の斜視図であり、図１０（Ａ）は、可動板を一方の面（オモテ面）から観た状態図、図１０（Ｂ）は、可動板を他方の面（ウラ面）から観た状態図である。
【図１１】前記実施形態によるカード用コネクタに備わるシェルの斜視図であり、図１１（Ａ）は、シェルを外面側から観た状態図、図１１（Ｂ）は、シェルを内面側から観た状態図である。
【図１２】前記実施形態によるカード用コネクタの構成を示す縦断面図である。
【図１３】前記実施形態によるカード用コネクタに第１カードを挿入した状態図であり、図１３（Ａ）は、カード用コネクタの正面図、図１３（Ｂ）は、カード用コネクタの右面図である。
【図１４】前記実施形態によるカード用コネクタに第２カードを挿入した状態図であり、図１４（Ａ）は、カード用コネクタの正面図、図１４（Ｂ）は、カード用コネクタの右面図である。
【発明を実施するための形態】
【００２４】
以下、図面を参照して本発明を実施するための形態を説明する。
【００２５】
［カード用コネクタの構成］
最初に、本発明の一実施形態によるカード用コネクタの構成を説明する。図１は、本発明の一実施形態によるカード用コネクタの構成を示す斜視図であり、図１（Ａ）は、外形の小さい第１カードをカード用コネクタに挿入する前の状態図、図１（Ｂ）は、外形の大きい第２カードをカード用コネクタに挿入する前の状態図である。
【００２６】
図２は、前記実施形態によるカード用コネクタの構成を示す斜視図であり、図２（Ａ）は、第１カードをカード用コネクタに挿入した状態図、図２（Ｂ）は、第２カードをカード用コネクタに挿入した状態図である。
【００２７】
図３は、第１カードの斜視図であり、図３（Ａ）は、絶縁面を含む他方の面から第１カードを観た状態図、図３（Ｂ）は、端子面を含む一方の面から第１カードを観た状態図である。図４は、第２カードの斜視図であり、図４（Ａ）は、絶縁面を含む他方の面から第２カードを観た状態図、図４（Ｂ）は、端子面を含む一方の面から第２カードを観た状態図である。
【００２８】
図５は、前記実施形態によるカード用コネクタの構成を示す斜視図であり、第２カードをカード用コネクタに挿入した状態を下面側から観た状態図である。図６は、前記実施形態によるカード用コネクタの構成を示す斜視分解組立図である。
【００２９】
（全体構成）
図１を参照すると、本発明の一実施形態によるカード用コネクタ（以下、コネクタと略称する）１０は、プリント基板１ｐの一方の面１１ｐに実装されている。コネクタ１０は、外形の小さい第１カードＣ１又は外形の大きい第２カードＣ２が挿入されて、第１カードＣ１又は第２カードＣ２とプリント基板１ｐを電気的に接続できる。コネクタ１０には、プリント基板１ｐの一方の面１１ｐと略平行に第１カードＣ１又は第２カードＣ２を挿入できる。コネクタ１０は、第１カードＣ１又は第２カードＣ２がプリント基板１ｐの一方の面１１ｐと略平行に挿入される水平取付形コネクタを構成している。
【００３０】
図３を参照すると、第１カードＣ１は、ｍｉｃｒｏＳＩＭカードを示している。図３において、第１カードＣ１は、絶縁性のプラスチック筐体ｃｈ１の内部にＩＣチップ（図示せず）を収納している。このＩＣチップは、筐体ｃｈ１の一方の面に貼り付けられた複数の金属箔に接続されている。そして、複数に区画されたこの金属箔が第１カードＣ１の接続端子ｃｔとなっている。
【００３１】
一方、図４を参照すると、第２カードＣ２は、ｍｉｎｉＳＩＭカードを示している。図４に示した第２カードＣ２は、図３に示した第１カードＣ１と構造は同じである。又、第１カードＣ１と第２カードＣ２は、共通の接続端子ｃｔを一方の面に配列している。第１カードＣ１と第２カードＣ２は、板厚が同じになっているが、第１カードＣ１の筐体ｃｈ１に対して、第２カードＣ２の筐体ｃｈ２は、その外形が一回り大きくなっている。
【００３２】
図１又は図２及び図５又は図６を参照すると、コネクタ１０は、六つの片持ち状のコンタクト１と板状のハウジング２を備えている。コンタクト１は、接続端子ｃｔと電気接続できる（図３又は図４参照）。ハウジング２は、六つのコンタクト１を配列している。又、ハウジング２には、第１カードＣ１が一端部側から挿入されて載置できる。
【００３３】
図１又は図２及び図５又は図６を参照すると、コネクタ１０は、一対の底板３ａ・３ｂ、シェル４、及び可動板５を備えている。一対の底板３ａ・３ｂは、ハウジング２の両側面の底部からハウジング２の両翼に延びている。シェル４は、一対の底板３ａ・３ｂに係合して、ハウジング２を覆うように外殻を構成している。又、シェル４は、一端側が開口されて第２カードＣ２を挿入できる。
【００３４】
図１又は図２及び図５又は図６を参照すると、可動板５は、ハウジング２の両側面及び他端部を囲うと共に、第１カードＣ１を挿入可能な矩形の切り欠き５１を有している。又、可動板５は、第２カードＣ２を挿入したときは、下降するように昇降自在に内部に保持されている。そして、底板３ａ・３ｂは、可動板５をシェル４の主面部４１に向かって力を付勢する一組の板ばね３１・３１を有している。
【００３５】
引き続き、実施形態によるコネクタの構成を説明する。図７は、前記実施形態によるカード用コネクタに備わるハウジングの斜視図であり、ハウジングを一方の側面の下面側から観た状態図である。図８は、前記実施形態によるカード用コネクタに備わるハウジングの斜視図であり、ハウジングを他方の側面の下面側から観た状態図である。
【００３６】
図９は、前記実施形態によるカード用コネクタに備わる複数のコンタクト及び一対の底板が成形された導電板の斜視図である。図１０は、前記実施形態によるカード用コネクタに備わる可動板の斜視図であり、図１０（Ａ）は、可動板を一方の面（オモテ面）から観た状態図、図１０（Ｂ）は、可動板を他方の面（ウラ面）から観た状態図である。
【００３７】
図１１は、前記実施形態によるカード用コネクタに備わるシェルの斜視図であり、図１１（Ａ）は、シェルを外面側から観た状態図、図１１（Ｂ）は、シェルを内面側から観た状態図である。図１２は、前記実施形態によるカード用コネクタの構成を示す縦断面図である。
【００３８】
（コンタクトの構成）
図９を参照すると、コンタクト１は、展開板（図示せず）が成形された導電性を有する金属板６ｐからなり、展開板を打ち抜き加工又は折り曲げ加工して、導電性を有する片持ち状のベローズコンタクトを得ることができる。コンタクト１は、加工の容易性や、ばね特性、導電性などを考慮すれば、銅合金が好ましく用いられるが、銅合金に限定される訳ではない。
【００３９】
図９を参照すると、六つのコンタクト１は、互いに繋がっているが、図７又は図８に示すように、金属板６ｐの中央部をモールドしてハウジング２を成形すると共に、ハウジング２の中央列に開口された窓ｗ２を介して、金属板６ｐを適宜に打ち抜き加工することで、六つのコンタクト１を個別に分離できる。
【００４０】
図６から図８を参照すると、コンタクト１は、その固定部がハウジング２に固定されている。一方、コンタクト１の自由部は、ハウジング２に形成された窓ｗ１に撓み自在に収納されている。コンタクト１の自由部の頂点は、接続端子ｃｔに接触可能な接点１ａを形成している（図１２参照）。
【００４１】
図６から図８を参照すると、コンタクト１は、ハウジング２の一端部側に延出するリード片１ｒを有している。これらのリード片１ｒは、プリント基板１ｐの一方の面１１ｐにハンダ接合できる（図１参照）。つまり、コネクタ１０は、表面実装形のコネクタになっている。
【００４２】
（ハウジングの構成）
図１から図３を参照すると、ハウジング２は、絶縁性を有する合成樹脂を成形している。ハウジング２の外形は、第１カードＣ１と略同じであることが好ましい。そして、ハウジング２は、六つのコンタクト１を窓ｗ１に配列している。又、ハウジング２は、その両側面の底部からハウジング２の両翼に延びる一対の底板３ａ・３ｂを配置している。
【００４３】
図９を参照すると、一対の底板３ａ・３ｂは、互いに繋がっているが、図７又は図８に示すように、金属板６ｐの中央部をモールドしてハウジング２を成形すると共に、ハウジング２の中央列に開口された窓ｗ２・ｗ３、及びハウジング２の後端部に切り欠かれた一組の溝ｍ１・ｍ２を介して、金属板６ｐを適宜に打ち抜き加工することで、一対一組の底板３ａ・３ｂを個別に分離できる。
【００４４】
（底板の構成）
図９を参照すると、一対の底板３ａ・３ｂは、展開板（図示せず）が成形された導電性を有する金属板６ｐからなっている。図６から図８を参照すると、一対の底板３ａ・３ｂは、板ばね３１を一体成形している。
【００４５】
図６から図９を参照すると、一対の底板３ａ・３ｂは、略直角に折り曲げられた屈曲片３２を有している。これらの屈曲片３２には、ランス３ｒを設けている。後述するシェル４の折り曲げ片４２が屈曲片３２にスライドして、ランス３ｒを係止穴４ｈに係合できる（図１１参照）。
【００４６】
（シェルの構成）
図１１を参照すると、シェル４は、展開板（図示せず）の主面部４１の三方を直角に折り曲げた薄直方体の箱状に形成している。主面部４１の両翼には、略平行に延びる一対の折り曲げ片４２・４２を形成している。一対の折り曲げ片４２・４２には、ランス３ｒに係合可能な係止穴４ｈを開口している（図６又は図８参照）。
【００４７】
又、図１１を参照すると、シェル４は、折り曲げ片４３を主面部４１の後端部に形成している。折り曲げ片４３は、第２カードＣ２の先端縁が当接して、第２カードＣ２の必要以上の進入を阻止できる（図２（Ｂ）参照）。又、折り曲げ片４３は、第１カードＣ１を介して可動板５が当接し、第１カードＣ１の必要以上の進入を阻止できる（図２（Ａ）参照）。
【００４８】
図１１を参照すると、一対の折り曲げ片４２・４２には、片持ち状の停止片４ｓを形成している。これらの停止片４ｓ・４ｓは、その先端縁が可動板５の両側面に設けた段差５ｄに係止して、可動板５の後退を阻止できる（図１０参照）。
【００４９】
更に、図１１を参照すると、主面部４１の後部には、窓４ｗを開口しているので、窓４ｗを介して、第１カードＣ１又は第２カードＣ２の有無を確認できる（図２参照）。主面部４１の前部には、切り欠き４ｍを設けているので、１カードＣ１又は第２カードＣ２の取り出しが容易になる（図２参照）。
【００５０】
（可動板の構成）
図１０を参照すると、可動板５は、絶縁性を有する合成樹脂を成形している。可動板５は、一対のアーム部材５ａ・５ｂと、これらのアーム部材５ａ・５ｂの基端部同士を結合した連結部材５ｃで構成している。そして、アーム部材５ａ・５ｂと連結部材５ｃで囲われた空間を第１カードＣ１が挿入可能な切り欠き５１としている。
【００５１】
又、図１０を参照すると、可動板５は、下り傾斜する斜面５２をアーム部材５ａ・５ｂの先端部に形成している。これにより、シェル４の主面部４１と可動板５の間に第２カードＣ２を挿入することが容易になる。
【００５２】
［カード用コネクタの作用］
次に、実施形態によるコネクタ１０の動作を説明しながら、コネクタ１０の作用及び効果を説明する。図１３は、前記実施形態によるカード用コネクタに第１カードを挿入した状態図であり、図１３（Ａ）は、カード用コネクタの正面図、図１３（Ｂ）は、カード用コネクタの右面図である。図１４は、前記実施形態によるカード用コネクタに第２カードを挿入した状態図であり、図１４（Ａ）は、カード用コネクタの正面図、図１４（Ｂ）は、カード用コネクタの右面図である。
【００５３】
図１（Ａ）又は図２（Ａ）及び図１３を参照して、コネクタ１０は、通常、複数の板ばね３１が可動板５を付勢して、可動板５をシェル４の主面部４１に押し付けている。そして、可動板５の切り欠き５１に合わせて、第１カードＣ１をコネクタ１０に挿入することで、コンタクト１を介して、第１カードＣ１とプリント基板１ｐを電気的に接続できる。
【００５４】
一方、図１（Ｂ）又は図２（Ｂ）及び図１４を参照して、シェル４の主面部４１と可動板５の間に第２カードＣ２を挿入すると、複数の板ばね３１に抗して可動板５が下降するので、一対の折り曲げ片４２・４２の内壁に案内されて、第２カードＣ２をコネクタ１０に挿入できる。そして、第２カードＣ２とプリント基板１ｐを電気的に接続できる。第２カードＣ２を引き抜くと、可動板５は初期の状態に復帰し、第１カードＣ１又は第２カードＣ２にいずれか一方を挿入できる。
【００５５】
このように、実施形態によるコネクタ１０は、共通の接続端子ｃｔを一方の面に配列し、板厚は同じであるが、外形が異なる２種類の第１カードＣ１と第２カードＣ２を共用できる。又、実施形態によるコネクタ１０は、アダプタを使用しないので、アダプタの紛失、又はコンタクトの破損を防止できる。
【００５６】
実施形態によるコネクタ１０は、ｍｉｎｉＳＩＭカードとｍｉｃｒｏＳＩＭカードを共用可能なカード用コネクタを開示したが、本発明によるカード用コネクタは、実施形態に限定されない。本発明による技術的思想を応用すれば、ｍｉｃｒｏＳＩＭカードとｍｉｃｒｏＳＩＭカードより小型のｎａｎｏＳＩＭカードの共用も可能である。
【符号の説明】
【００５７】
１  コンタクト
２  ハウジング
３ａ・３ｂ  一対の底板
４  シェル
５  可動板
３１  板ばね
４１  主面部
５１  切り欠き
【図１】
2014029781.tif 000003
【図２】
2014029781.tif 000004
【図３】
2014029781.tif 000005
【図４】
2014029781.tif 000006
【図５】
2014029781.tif 000007
【図６】
2014029781.tif 000008
【図７】
2014029781.tif 000009
【図８】
2014029781.tif 000010
【図９】
2014029781.tif 000011
【図１０】
2014029781.tif 000012
【図１１】
2014029781.tif 000013
【図１２】
2014029781.tif 000014
【図１３】
2014029781.tif 000015
【図１４】
2014029781.tif 000016